【事件の表示】
　特願２００２−２４５４６７「コンバインの刈取部」拒絶査定不服審判事件〔平成１５年　３月１１日出願公開、特開２００３−　７０３３２〕について、次のとおり審決する。
【結　論】
　本件審判の請求は、成り立たない。
【理　由】
１．手続きの経緯・本願発明
　本願は、平成５年１２月１０日に出願した特願平５−３４１３７８号の一部を特許法第４４条第１項の規定により分割して平成１４年８月２６日に新たな特許出願としたものであって、平成１７年１０月２０日付で拒絶査定がなされ、これに対し、平成１７年１２月１５日に拒絶査定に対する審判請求がなされるとともに、平成１８年１月１６日付で手続補正がなされたものであり、本願請求項（１）に係る発明（以下、「本願発明」という。）は、本願の明細書及び図面の記載からみて、その特許請求の範囲の請求項（１）に記載された次のとおりのものである。
　
「機体フレーム１の下方に走行装置２を設け、前記機体フレーム１のいずれか一側４上部位置に設けた脱穀装置３と、前記機体フレーム１のいずれか他側６上部位置に設けたグレンタンク５と、該グレンタンク５の前方に設けた操縦部７と、該操縦部７の前方位置に設けた刈取部８と、前記操縦部７の側方に位置して前記刈取部８と前記脱穀装置３とを接続する搬送エレベーター１３とからなり、前記刈取部８には、圃場の穀稈を掻込む位置調節自在の掻込リール１５と、穂先刈用の第一刈刃２０を設けたコンバインの刈取部であって、前記刈取部８の後部に前記第一刈刃２０によって刈り取られた後の残稈を低く刈り取る第二刈刃２５を設け、該第二刈刃２５の中央部より左側に前記搬送エレベーター１３を配置する構成とし、該第二刈刃２５は平行リンクを介して支持するとともに、第二刈刃上下用シリンダ３０によって上下移動可能に構成し、該第二刈刃上下用シリンダ３０は前記搬送エレベーター１３の右側に配置して構成し、前記第二刈刃２５を駆動する油圧装置を設け、前記第二刈刃２５を上下移動させる第二刈刃上下用シリンダ３０及び第二刈刃２５を駆動する油圧装置は、前記刈取部８と一体的に昇降するように構成したことを特徴とするコンバインの刈取部。」
　
２．引用例
　これに対して原査定の拒絶の理由に引用され、本願出願前に頒布された刊行物である、特開平２−１９０１１０号公報（以下、「引用例１」という。）には、「コンバインの伝動装置」に関して、図面の第１図〜第５図とともに、次の記載がある。
（イ）「２．特許請求の範囲
　走行フレーム１の下部に走行装置２を上部に脱穀装置３を前方に刈取部４を夫々設け、該刈取部４には、掻込リール５と、オーガー８と、第一刈刃６及び第二刈刃１７とを設けたコンバインにおいて、前記刈取部４の左右何れか一側には機体側のエンジンで回転させられるメイン横駆動軸３４を設け、該メイン横駆動軸３４の近傍位置には、前記掻込リール５に至る伝動装置と、前記第一刈刃６に至る伝動装置と、前記オーガー８及び第二刈刃１７に至る伝動装置とを夫々設けたコンバインの伝動装置。」（公報１頁左欄４〜１５行）
（ロ）「（発明が解決しようとする課題）
　前記公知のコンバインは、掻込リールと、オーガーと、第一刈刃及び第二刈刃について記載しているが、その動力伝動機構については記載されていない。しかし、前記伝動機構を、メンテナンスと、構成の簡易化を目的に開発するとなれば相当に面倒である。
　そこで本発明は、前記目的に添う機構について発明したものである。」（公報１頁右欄７〜１５行）
（ハ）「（実施例）
　本発明の一実施例を図面により説明すると、１は走行フレーム、２は走行フレーム１の下部に設けた走行装置、３は走行フレーム１の上部に設けた脱穀装置、４は走行フレーム１の前方に設けた刈取部であり、刈取部４の前側位置には掻込リール５が設けられ、その下方の刈取フレーム７には第一刈刃６を設け、第一刈刃６の後方の刈取部フレーム７には、第一刈刃６により刈取った殻稈を集めるオーガー８を設ける。
　刈取部フレーム７の後壁９には脱穀装置３の脱穀室に至るエレベーター１０を設ける。１１は分草体、１２は分草体１１の後方に設けた補助掻込装置である。
　前記刈取部フレーム７は、前記エレベーター１０の上部回転輔１４を中心として、刈取部上下動シリンダ１５の伸縮によりエレベーター１０と共に上下回動自在に取付けられる。１６はエレベータ−１０の下部回転軸である。
　しかして、前記刈取部フレーム７の後壁９と前記走行装置２の前端部の間には以下詳述する第二刈刃１７を設ける。
　前記刈取部フレーム７の後壁９の後面には、左右方向の支持フレーム１８を設ける。支持フレーム１８は、エレベータ−１０の下部を避けるように＊形状（当審注：＊部分は「コ」を時計回り方向に９０度回転させたような記号）に形成し、左端屈曲部１９の上部を後壁９の左側の縦杆２０に固着し、右端屈曲部２１の上部を後壁９の略左右中間位置にある縦杆２２に固着する。
　前記左端屈曲部１９には側部位置縦軸筒２３を固定し、前記右端屈曲部２１には重心位置縦軸筒２４を固定する。前記側部位置縦軸筒２３には上下方向の側部位置縦支持杆２５を上下摺動自在に嵌合させる。前記重心位置縦軸筒２４には重心位置縦支持杆２６を上下摺動自在に嵌合させる。
　前記側部位置縦支持杆２５の下端部には第二刈刃１７の第二刈刃フレーム２７の左側を、重心位置縦支持杆２６の下端部には前記第二刈刃フレーム２７の左右の重心位置を夫々取付ける。
　前記支持フレーム１８の右端屈曲部２１側上面には、上方に起立する取付腕２８の下端部を固着し、取付腕２８の上端部は前記重心位置縦支持杆２６側に屈曲させて前記重心位置縦支持杆２６の後方位置に臨ませ、該取付腕２８の上端部に第二刈刃上下動シリンダ２９の上端部を取付ける。第二刈刃上下動下シリンダ２９のロッドの下端部は前記重心位置縦支持杆２６の下端部に取付ける。
　第二刈刃上下動シリンダ２９を伸縮させると、重心位置縦支持杆２６を重心位置縦軸筒２４に対して、側部位置縦支持杆２５を側部位置縦軸筒２３に対して、夫々を上下摺動させ、第二刈刃１７の高さ位置を調節する。」（公報２頁左上欄９行〜左下欄２０行）
（ニ）「しかして、機体が前進すると、分草体１１で分草し、掻込リール５を回転させて未刈稈を掻き込み、第一刈刃６の摺動刃の摺動で殻稈の穂先のみを刈取り、掻込リール５によりオーガー８に掻込んだ穂先殻稈をオーガー８によりエレベーター１０の基部に合流させ、エレベータ−１０により搬送して脱穀装置３に送込み、脱穀する。したがって、脱穀装置３には、殻稈の穂先のみが供給され、脱穀装置３への負荷を減少させる。
　更に機体を前進させると、第一刈刃６の後方の刈取部フレーム７には第二刈刃１７が設けられているから、第二刈刃１７は第一刈刃６により圃場に刈残した殻稈を株元側より刈取る。
　この場合、第二刈刃１７の伝動経路は、刈取部４を駆動させるメイン横駆動軸３４より伝動させるから、構造を簡易にする。
　又、第二刈刃１７の伝動経路は、刈取部４を駆動させる伝動経路と共に、刈取部フレーム７の後壁９に設けたから、メンテナンスが容易である。
　又、第二刈刃１７の伝動経路及び刈取部４の伝動経路の伝動ボックス３５は、機体が沈むグレンタンク側に設け、その反対側に前記エレベーター１０のローリング芯を設けているから、刈取部４をローリングさせるとき、伝動ボックス３５側が常時上動することとなり、逃げの多い側に伝動ボックス３５が設けられ、伝動ボックス３５側が圃場に突込むことを防止する。
　しかして、第二刈刃１７は、刈取部フレーム７側に固定した支持フレーム１８に固定された縦軸筒２３、２４に第二刈刃１７の第二刈刃フレーム２７に取付けた縦支持杆２５、２６を夫々上下摺動自在に取付け、刈取部フレーム７側に上端を固定した第二刈刃上下動シリンダ２９の下端部を重心位置縦支持杆２６の下端部に取付けているから、第二刈刃上下動シリンダ２９を伸縮させると、重心位置縦支持杆２６を重心位置縦軸筒２４に対して、側部位置縦支持杆２５を側部位置縦軸筒２３に対して、下部軸５６を上部軸筒５５に対して、夫々を上下摺動させ、第二刈刃１７の高さ位置を調節する。
　この場合、第二刈刃１７の第二刈刃フレーム２７を懸架する縦支持杆２５、２６は、刈取部フレーム７側の支持フレーム１８の２箇所の縦軸筒２３、２４により支持されるから、円滑に上下摺動し、強度も確保される。
　又、第二刈刃フレーム２７を上下させる第二刈刃上下動シリンダ２９は、第二刈刃フレーム２７の左右の重心位置に設けた前記重心位置縦支持杆２６に取付けられているから、第二刈刃フレーム２７を円滑に上下させる。
　又、第二刈刃１７の高さ位置調節は、上下方向の摺動移動により行われるから、第二刈刃１７を上下させるときの前後スペースを必要としない。したがって、第二刈刃１７を設ける刈取部フレーム７と前記走行装置２との間の間隔を狭くでき、機体全長を短かくできる。」（公報３頁右下欄３行〜４頁右上欄１８行）
（ホ）引用例１の第１図には、操縦部が刈取部の後方で脱穀装置３より側面視で前方の位置かつエレベータ１０より側面視で奥側（即ち、機体右側）に配置されている点が、第２図および第４図には、第二刈刃１７の中央部より左側にエレベーター１０が配置されているとともに、第二刈刃上下動シリンダ２９がエレベーター１０の右側に配置されている点が開示されている。
　これら（イ）〜（ホ）の記載事項を総合すると引用例１には次の発明が記載されているものと認められる。
「走行フレーム１の下方に走行装置２を設け、前記走行フレーム１のいずれか一側上部位置に設けた脱穀装置３と、前記走行フレーム１のいずれか上部位置に設けたグレンタンクと操縦部と、該操縦部の前方位置に設けた刈取部４と、前記操縦部の側方に位置して前記刈取部４と前記脱穀装置３とを接続するエレベーター１０とからなり、前記刈取部４には、圃場の穀稈を掻込む位置調節自在の掻込リール５と、穂先刈用の第一刈刃６を設けたコンバインの刈取部であって、前記刈取部４の後部に前記第一刈刃６によって刈り取られた後の残稈を低く刈り取る第二刈刃１７を設け、該第二刈刃１７の中央部より左側に前記エレベーター１０を配置する構成とし、該第二刈刃１７は第二刈刃上下動シリンダ２９によって上下移動可能に構成し、該第二刈刃上下動シリンダ２９は前記エレベーター１０の右側に配置して構成し、前記第二刈刃１７を駆動する伝動経路を設け、前記第二刈刃１７を上下移動させる第二刈刃上下動シリンダ２９及び第二刈刃１７を駆動する伝動経路は、前記刈取部４と一体的に昇降するように構成したことを特徴とするコンバインの刈取部。」（以下「引用発明」という。）
　
　同じく、原査定の拒絶の理由で引用され、本願出願前に頒布された刊行物である、実願昭６３−１２５４９１号（実開平２−４６５１６号）のマイクロフィルム（以下、「引用例２」という。）には、「普通型コンバインのセカンドモア」に関して、次の記載がある。
（ヘ）「２．実用新案登録請求の範囲
　フィーダハウス１３下方に設けるセカンドモアＡの支持フレーム２７・２９上部を、平行に配設したリンク２４Ｌ・２４Ｒ・２５・２６にて枢支し、該リンクのいずれか一つを支持軸と反対方向に延設してシリンダー３０を枢結し、ガイドシリンダー３０の伸縮によりセカンドモアＡを昇降可能としたことを特徴とする普通型コンバインのセカンドモア。」（明細書１頁４〜１２行）
（ト）「（イ）産業上の利用分野
　本考案は普通型コンバインのクローラー前方に設けるセカンドモアの取付構成に関するものである。」（明細書１頁１４〜１７行）
（チ）「即ち、第２図、第３図、第４図に示すように、フィーダハウス１３両側面に支持プレート２０・２１が貼設され、該支持プレート２０・２１とフィーダハウス１３に支持軸２２・２３が貫通され、該支時軸２２・２３両端にリンク２４Ｌ・２４Ｒ・２５・２６が枢結され、該左側のリンク２４Ｌ・２５他端に支持フレーム２７が枢結され、該リンク２５の回動基部には下方への回動を規制するストッパー２８が設けられている。
　また、右側のリンク２４Ｒ・２６他端に支持フレーム２９が枢支され、該リンク２６は中央部が支持軸２３に枢支されており、反対側先端にシリンダー３０の上端が枢支されている。但し、その他のリンクにシリンダー３０を枢結することも可能である。該シリンダー３０の側面にはモーター３１が付設され、上部に設けたギヤケース３２にてモーター３１の回転がシリンダー３０に伝達され、該シリンダー３０はネジ杆を内装してシリンダーロッド３０ａが伸縮できるようにしている。該モーター３１の操作はキャビン５内のスイッチにより操作でき、正逆転できるものである。
　該シリンダーロッド３０ａの先端は支持プレート２０に立設されたピン３３に枢支されており、該ピン３３には連結ロッド３４の一端も枢支され、該連結ロッド３４の他端は支持フレーム２９の中途部に枢支したアーム３５先端に枢結されている。該アーム３５の下端に固設された枢支軸３７の他端にはテンションアーム３６の基部が固設され、該テンションアーム３６も支持フレーム２９に枢支され回動自在としている。」（明細書５頁１行〜６頁１０行）
（リ）「（ト）考案の効果・・・
　第１に、平行に設けたリンクにより刈刃を略平行に昇降できるようになったので、刈取角度が略一定となり、刈取精度が向上できたのである。」（明細書８頁１６行〜９頁１行）
　
３．対比
　本願発明と引用発明を対比すると、引用発明の「走行フレーム１」、「走行装置２」、「脱穀装置３」、「グレンタンク」、「操縦部」、「刈取部４」、「エレベーター１０」、「掻込リール５」、「第一刈刃６」、「第二刈刃１７」および「第二刈刃上下動シリンダ２９」、は、本願発明の「機体フレーム１」、「走行装置２」、「脱穀装置３」、「グレンタンク５」、「操縦部７」、「刈取部８」、「搬送エレベーター１３」、「掻込リール１５」、「第一刈刃２０」、「第二刈刃２５」および「第二刈刃上下用シリンダ３０」にそれぞれ相当する。
　そして、引用発明の「第二刈刃１７を駆動する伝動経路」と本願発明の「第二刈刃２５を駆動する油圧装置」とは、「第二刈刃１７を駆動する駆動装置」である点で共通している。
　そうすると、両者は、
「機体フレーム１の下方に走行装置２を設け、前記機体フレーム１のいずれか一側４上部位置に設けた脱穀装置３と、前記機体フレーム１のいずれか上部位置に設けたグレンタンク５と操縦部７と、該操縦部７の前方位置に設けた刈取部８と、前記操縦部７の側方に位置して前記刈取部８と前記脱穀装置３とを接続する搬送エレベーター１３とからなり、前記刈取部８には、圃場の穀稈を掻込む位置調節自在の掻込リール１５と、穂先刈用の第一刈刃２０を設けたコンバインの刈取部であって、前記刈取部８の後部に前記第一刈刃２０によって刈り取られた後の残稈を低く刈り取る第二刈刃２５を設け、該第二刈刃２５の中央部より左側に前記搬送エレベーター１３を配置する構成とし、該第二刈刃２５は第二刈刃上下用シリンダ３０によって上下移動可能に構成し、該第二刈刃上下用シリンダ３０は前記搬送エレベーター１３の右側に配置して構成し、前記第二刈刃２５を駆動する駆動装置を設け、前記第二刈刃２５を上下移動させる第二刈刃上下用シリンダ３０及び第二刈刃２５を駆動する駆動装置は、前記刈取部８と一体的に昇降するように構成したことを特徴とするコンバインの刈取部。」
である点で一致し、以下の点で相違する。
　
［相違点１］機体フレームのいずれか上部位置に設けられるグレンタンクと操縦部が、本願発明では、機体フレーム１のいずれか他側６上部位置に設けたグレンタンク５と、該グレンタンク５の前方に設けた操縦部７となるように配置されているのに対して、引用発明では、グレンタンクがどこに配置されているか明らかでなく、操縦部との位置関係も不明である点。
［相違点２］刈取部に対して上下移動可能に構成される第二刈刃が、本願発明では平行リンクを介して支持されているのに対して、引用発明ではそのような構成を備えていない点。
［相違点３］第二刈刃および第二刈刃上下動シリンダの駆動装置が、本願発明では油圧装置であるのに対して、引用発明では、第二刈刃の駆動装置が伝動経路（即ち、機械的な駆動力の伝達する方式のもの）であって、第二刈刃上下動シリンダがどのような方式で駆動されるものか不明である点。
　
４．判断
［相違点１について］
　コンバインにおいて、グレンタンクを通常機体右側に配置される操縦部の後方に配置することは広く知られている事項であって（例えば、上記引用例２にも「キャビン５の後方にグレンタンク１０を配設する」点が開示されている）、このようなグレンタンクおよび操縦部の配置を引用発明に適用することは、当業者が容易になし得る事項であるといえる。
［相違点２について］
　引用例２には、「セカンドモア（第二刈刃）の支持フレームを平行に配設したリンクによって枢支して昇降可能にする」ことが開示されており、このような第二刈刃を平行に配設したリンクによって枢支して昇降可能にする構成を引用発明に適用することは、当業者が容易になし得る事項であるといえる。
［相違点３について］
　コンバインにおいて、各種作業機など上下動する装置や部材などを油圧駆動するシリンダによって上下させることは、例示するまでもなく慣用手段であるとともに、コンバインにおいて、刈刃を油圧で駆動する（即ち、油圧モータを駆動源とする）ことも従来より周知の技術である（例えば、実願平３−９０５５４号（実開平５−３１５２３号）のＣＤ−ＲＯＭ参照）から、引用発明に、これら慣用手段ないし周知技術を適用することは、当業者が容易になし得る事項であるといえる。
　
　そして、本願補正発明の作用効果も、引用発明、引用例２に記載の技術事項および周知技術から当業者が予測できる範囲のものである。
　
５．むすび
　以上のとおり、本願発明は、引用発明、引用例２に記載の技術事項および周知技術に基づいて、当業者が容易に発明をすることができたものであるから、特許法第２９条第２項の規定により特許を受けることができない。
　よって、結論のとおり審決する。